(57)【特許請求の範囲】
【請求項１】
中央付近に鏡胴を備えるカメラ本体の前面に、前記鏡胴に対応した位置に開口を有する外装パネルを装着・交換可能に固定するカメラにおいて、
前記カメラ本体の前面には、前記外装パネルの厚みと同等又は前記外装パネルの厚みよりも深くかつ前記外装パネルの周端縁が嵌合して収納される凹所が、前記カメラ本体の前面の周縁に設けられたリブ状突起により形成され、且つ、前記カメラ本体と前記外装パネルとの固定手段は、前記外装パネルの前記開口周縁を押圧して押さえる押さえリングと、該押さえリングの内周面及び前記鏡胴の外周面に設けられたネジにより構成されることを特徴とするカメラ。
【請求項２】
中央付近に鏡胴を備えるカメラ本体の前面に、前記鏡胴に対応した位置に開口を有する外装パネルを装着・交換可能に固定するカメラにおいて、
前記カメラ本体の前面には、前記外装パネルの厚みと同等又は前記外装パネルの厚みよりも深くかつ前記外装パネルの周端縁が嵌合して収納される凹所が、前記カメラ本体の前面の周縁に設けられたリブ状突起により形成され、且つ、前記カメラ本体と前記外装パネルとの固定手段は、前記外装パネルの前記開口周縁を押圧して押さえる押さえリングと、該押さえリングに設けられたバヨネット爪及び前記カメラ本体に設けられたバヨネット溝により構成されることを特徴とするカメラ。
【請求項３】
請求項１又は２記載のカメラに用いられるカメラ本体であって、前記カメラ本体の前面には前記外装パネルの厚みと同等又は厚みよりも深くかつ前記外装パネルの周端縁が嵌合して収納される凹所が形成されていることを特徴とするカメラ本体。
【請求項４】
前記凹所の周縁の一部は欠落して外装パネル取出部が形成されていることを特徴とする請求項３記載のカメラ本体。
【請求項５】
請求項１又は２記載のカメラに用いられる外装パネルであって、上下方向又は左右方向の何れか一方又は双方に対して対称な鏡胴用のくりぬき部を備え、表裏の模様又は色の異なる外装パネル。
【請求項６】
請求項３記載のカメラ本体に用いられる外装パネルであって、前記外装パネルは、上下方向又は左右方向の少なくとも一方に１８０度反転させた場合の外装パネルの周縁形状が対称形状であり、表裏の模様又は色の異なる外装パネル。
【発明の詳細な説明】
【０００１】
【発明の属する技術分野】
本発明は交換が可能に取り付けられる外装パネルを備えたカメラ、それに用いるカメラ本体、及び外装パネルに関する。
【０００２】
【従来の技術】
従来からカメラ本体の意匠性を左右する外装は、カメラ本体に直接固着されているものが多いが、近年、カメラの周辺部材で交換可能に構成する提案がなされつつある。
【０００３】
たとえば、実用新案登録第３０７９０１５号公報では交換可能な保護カバーが提案されている。この保護カバーでは、ケースの色、模様を改変させる皮材からなる外層と、底層に本体に固定するための粘着層を設け、中間に弾性層を備えている。これにより、この保護カバーは、携帯電話ケース、カメラケース、液晶ディスプレイケース等の本体ケースに粘着固定されることにより、この保護カバーは交換可能に構成されている。保護カバー外層の表面の色や模様を変えることで、これらの本体ケースは色々なバリエーション展開が可能とされている。
【０００４】
また、特開２０００−２５０１１２号公報では、ネジにより取付・交換可能な画像表示パネルを備えた電子カメラが提案されている。
【０００５】
【発明が解決しようとする課題】
しかしながら、実用新案登録第３０７９０１５号公報提案の保護カバーでは、皮材を用いているので、カメラ本体の外装材としては高級感や良好なグリップ感が望めない。さらに、この保護カバーでは、位置決めのための配慮がなされていないこと、また、固定も粘着材だけに頼っているので固定が確実であるとは言えないこと等により、カメラ本体の外装として交換可能なものに転用するには適していない。
【０００６】
本発明は上述の問題点を解決するため、カメラ本体の前面に装着・交換可能に固定される外装パネルを備えたカメラを提供することを第１の目的とする。
【０００７】
また、本発明の他の目的は位置決め及び固定が確実である外装パネルを備えたカメラを提供することにある。
【０００８】
【課題を解決するための手段】
上述の目的を達成するため、第１の発明は、中央付近に鏡胴を備えるカメラ本体の前面に、前記鏡胴に対応した位置に開口を有する外装パネルを装着・交換可能に固定するカメラにおいて、
前記カメラ本体の前面には、前記外装パネルの厚みと同等又は前記外装パネルの厚みよりも深くかつ前記外装パネルの周端縁が嵌合して収納される凹所が、前記カメラ本体の前面の周縁に設けられたリブ状突起により形成され、且つ、前記カメラ本体と前記外装パネルとの固定手段は、前記外装パネルの前記開口周縁を押圧して押さえる押さえリングと、該押さえリングの内周面及び前記鏡胴の外周面に設けられたネジ、又は、前記外装パネルの前記開口周縁を押圧して押さえる押さえリングと、該押さえリングに設けられたバヨネット爪及び前記カメラ本体に設けられたバヨネット溝により構成されることを特徴とするカメラである。
【０００９】
このように構成すれば、外装パネルがカメラ本体の前面に装着・交換可能に固定されている。この外装パネルとして色や図柄、模様等の異なる複数枚のものを用意して、それらを好みに従って交換することにより、カメラの前面の外装を変化させることができる。
【００１０】
また、このように構成すれば、外装パネルは、凹所に収納して嵌合されるので、位置決めが確実に行える。また、外装パネルの端縁が前面に突出することが無い。これにより、カメラに不用意に物が衝突しても外装パネルが外れ難い。また、外装パネルの端縁が見えず、外観上も好ましい。
【００１１】
また、この凹所はカメラ本体の前面に設けられたリブ状突起により形成されているので、リブ状突起によりカメラ本体の曲げ剛性を高めつつ凹所を形成することができる。
【００１２】
また、カメラ本体と外装パネルとは、中央付近の鏡胴に対応した位置に開口を有する外装パネルの開口周縁を押圧して押さえる押さえリングにより固定されているので、外装パネルの中央付近を確実に押さえて固定することができる。
【００１３】
また、以上の構成によれば、カメラ本体と外装パネルとの固定が螺合手段又はバヨネット方式であるので、繰り返しての取り付け、取り外しが確実に行え、かつ、特別な工具を必要とせずに、外装パネルはいつでも何処でも交換できる。
【００２１】
上述の他の目的を達成するため、第２の発明では、上記のカメラに用いられるカメラ本体であって、前記カメラ本体の前面には前記外装パネルの厚みと同等又は厚みよりも深くかつ前記外装パネルの周端縁が嵌合して収納される凹所が形成されていることを特徴とするカメラ本体である。
【００２２】
このように構成すれば、外装パネルは、凹所に収納して嵌合されるので、位置決めが確実に行える。また、外装パネルの端縁が前面に突出することが無い。これにより、カメラに不用意に物が衝突しても外装パネルが外れ難い。また、外装パネルの端縁が見えず、外観上も好ましい。
【００２３】
この凹所はカメラ本体の前面に設けられたリブ状突起により形成させることができる。このような構成によれば、リブ状突起によりカメラ本体の曲げ剛性を高めつつ凹所を形成することができる。
【００２４】
この凹所の周縁の一部を欠落させれば、外装パネルが凹所に収納された状態で、欠落箇所において外装パネルの端縁が露出する。この露出端縁を用いて外装パネルを取り出すことができる。
【００２５】
ここで、欠落箇所の大きさが指で操作可能な程度に大きければ指で操作が行える。これにより、特別の道具を必要とせずに容易に外装パネルの取り外しが行える。
【００２６】
また、この欠落箇所に対応する位置のカメラ本体に凹所を設ければ、外装パネルの取り出しが一層容易となる。ここで、これらの欠落箇所は１箇所あればよいが、２箇所以上であってもよい。
【００２７】
また、第３の発明は、上記カメラに用いられる外装パネルであって、上下方向又は左右方向の何れか一方又は双方に対して対称な鏡胴用のくりぬき部を備え、表裏の模様又は色の異なる外装パネルである。
【００２８】
このように構成すれば、中央部に鏡胴部を備えたカメラ本体に対して表裏を替えて装着可能な、いわゆる、リバーシブルな外装パネルを得ることができる。
【００２９】
この外装パネルは上下方向又は左右方向の少なくとも一方に１８０度反転させた場合の外装パネルの周縁形状が対称形状であれば、上記の前面に凹所を備えたカメラ本体を備えたカメラに対してリバーシブルに装着脱着が可能な外装パネルを提供することができる。
【００３０】
【発明の実施の形態】
【００３１】
【発明の実施の形態１】
以下、本発明の実施の形態１について図面を参照しつつ説明する。
【００３２】
図１〜図３は本発明の参考例に係る実施の形態１を示す図である。
【００３３】
図中、符号１はデジタルカメラなどのカメラであり、このカメラ１は、カメラ本体１００及び外装パネルとしてのフロントパネル２００とから大略構成される。
【００３４】
カメラ本体１００の前面１１０の中央には、鏡胴１４０、その直上にはファインダー窓１５０、その横にストロボ窓１６０がそれぞれ突出して設けられている。また、前面１１０の周縁には、リブ突起１２０が突出して連続して設けられ、これによりカメラ本体１００の前面１１０にはリブ突起１２０の高さｈ（不図示）だけ全体に窪んだ広い面積の凹所１３０が形成されている。
【００３５】
フロントパネル２００は、少なくとも一面がカメラの外装パネルとして用いるにふさわしい、色、模様が施された厚みが高さｈと同等又はそれよりも薄い板状体から形成され、打抜加工又は各種の成形加工により外周面（コバ面）２２０の形状がリブ突起１２０により形成される凹所１３０の外周形状と略等しい嵌合形状に形成されている。
【００３６】
また、このフロントパネル２００には、鏡胴１４０、ファインダー窓１５０、ストロボ窓１６０にそれぞれ対応した位置にくりぬき部（鏡胴用開口２４０、ファインダー窓用開口２５０、ストロボ窓用開口２６０）がそれぞれくり抜かれている。
【００３７】
また、このフロントパネル２００の裏面又はカメラ本体１００の凹所１３０の表面には、粘着材３００を有する。
【００３８】
これにより、カメラ本体１００の凹所１３０にフロントパネル２００を裏面側（粘着材３００側）から嵌装させれば、このフロントパネル２００は、図２に示すように、凹所１３０に挿嵌されて粘着材３００の作用により固定される。
【００３９】
この固定は粘着材３００によるものであるので、取り付け、取り外しができる。これにより、色や図柄、模様等の異なる複数枚のフロントパネル２００を用意すれば、ときと場所とにより、また、好みに従ってフロントパネル２００を取り替えることができる。
【００４０】
また、このように構成されたカメラ１では、リブ突起１２０の高さｈに比べてフロントパネル２００の厚みが薄いので、図３に示すように、フロントパネル２００のコバ面２２０が露出することが無く、不用意にカメラ１を何かの物体にこすったり、又は衝突させても、フロントパネル２００が外れがたく、かつ、このコバ面２２０が視認されないので外装も美麗となる。
【００４１】
【変形例】
次に、図４〜図６は実施の形態１の変形例を説明する図である。実施の形態１と同一乃至は均等な部位部材は同一番号を付して詳細な説明は省略する。
【００４２】
この変形例では、図４に示すように、リブ突起１２０の一部に欠落部１２１を有する。この欠落部１２１では、図５に示すように、フロントパネル２００のコバ面２２０が欠落部１２１では露出している。これにより、この欠落部１２１から指を用いてフロントパネル２００を取り外すのが容易となる。なお、この欠落部１２１は、全体の一部であるので、実質的に発明の実施の形態１と同様に、カメラに物体が衝突した場合にフロントパネル２００が外れにくいという作用効果を実質的に得ることができる。
【００４３】
なお、この欠落部１２１において、図６に示すように、リブ突起１２０の一部とともにカメラ本体１００に窪み１０１が設けられれば、指を用いてフロントパネル２００を剥離させて取り外す操作が一層簡易となる。
【００４４】
【発明の実施の形態２】
図７〜図９は本発明の参考例に係る実施の形態２を示す図である。実施の形態１と同一乃至は均等な部位部材は同一番号を付して詳細な説明は省略する。
【００４５】
この実施の形態２では、固定手段として発明の実施の形態１の粘着材による粘着手段に換えて螺合手段としてのネジ止めが用いられている。
【００４６】
図７に示すように、フロントパネル２００は、四隅に皿ネジ用の貫通孔３１０…が設けられている。これにより、図８に示すように、凹所１３０にフロントパネル２００を挿嵌させた状態で皿ネジ３２０により貫通孔３１０を貫通させ凹所１３０に設けられた下穴１３１にネジ止めすることができる。これにより、図９に示すように、皿ネジ３２０のネジ頭３２０ａが皿ネジ用の貫通孔３１０に埋設してフロントパネル２００の表面に突出せずに、フロントパネル２００はネジ止めによりカメラ本体１００に固定できる。
【００４７】
ここで、図１０に示すように、鏡胴１４０の付近のフロントパネル２００は、固定手段などにより固定されてはいないが、フロントパネル２００に適度の剛性があれば、フロントパネル２００は、四隅のネジ止めだけでカメラ本体１００に確実に固定できる。
【００４８】
このようなカメラ１において、フロントパネル２００のコバ面２２０が露出されない点を含めてその他の作用効果は発明の実施の形態１と実質的に同一であるので、詳細な説明は省略する。
【００４９】
なお、この皿ネジ３２０は、その他のネジを用いることができる。例えば、図１１、図１２に示すように、平小ネジなどのネジ頭３２１ａを指で操作可能なネジ３２１を用いてもよい。この場合、ネジの締め付け、取り外しを指で行うことが可能であるように、ネジ頭３２１ａがフロントパネル２００から突出して螺合固定される。
【００５０】
このように構成すれば、ネジの締め付け、取り外しに特別の工具を必要とせずに行うことができる。
【００５１】
また、図１２に示すように、セルフタップ下穴１３１の代わりにあらかじめタップ加工を施した金属部品１３２をアウトサート加工などでカメラ本体１００の凹所１３０の所定位置に埋設してもよい。
【００５２】
これにより、カメラ本体１００の耐久性を高めることができる。
【００５３】
【発明の実施の形態３】
次に、本発明に係る実施の形態３を図１３に基づき説明する。実施の形態１又は２と同一乃至は均等な部位部材は同一番号を付して詳細な説明は省略する。
【００５４】
この実施の形態３では、フロントパネル２００のほぼ中央付近を押さえリング３３０を用いて鏡胴１４０の周縁で固定する場合を説明している。
【００５５】
図１３に示すように、鏡筒１４０の周縁のカメラ本体１００には、環状の溝（環状溝）１０２が形成されている。この環状溝１０２に沿った鏡筒１４１の外周面１４２には雄ネジが刻まれている。
【００５６】
一方、押さえリング３３０は、前面にフロントパネル２００を押圧して固定するフランジ部（押さえ手段）３３１を有した筒状であり、内周面３３２に雌ネジが刻まれている。この雌ネジは外周面１４２の雄ネジと螺合する。
【００５７】
また、フロントパネル２００は、押さえリング３３０の外周面３３３が遊嵌できる程度の鏡胴用開口２４０を有している。
【００５８】
不図示の凹所１３０にフロントパネル２００を挿嵌させると、フロントパネル２００はカメラ本体の前面の全周に連続的に形成されたリブ突起１２０により位置決めされる。ついで、押さえリング３３０を鏡筒１４１に螺合させつつネジ込むことにより、フランジ部３３１によりフロントパネル２００の鏡胴用開口２４０の周縁が押圧されてフロントパネル２００がカメラ本体１００に固定される。フロントパネル２００の剛性が強ければ、この状態でフロントパネル２００のカメラ本体１００への固定は確実である。
【００５９】
この押さえリング３３０バヨネット方式により固定してもよい。例えば、図１４，図１５に示すように、カメラ本体１００の鏡胴１４０周縁にバヨネット溝を備えたバヨネット方式の受け板部３０８を設けると共に、このバヨネット溝に嵌合する爪を有する押さえリング３３０を用いる。
【００６０】
この受け板部３０８は、図１４に示すように、３個のバヨネット溝３０８ａ、３０８ｂ、３０８ｂを有する。これらのバヨネット溝３０８ａ、３０８ｂ、３０８ｂには、押さえリング３３０の３箇所の爪３３５（一箇所のみ図示）がそれぞれ嵌合する。
【００６１】
バヨネット溝３０８ａは３等分角に配置された他のバヨネット溝８ｂ、８ｂの溝幅よりやや大きく形成されており、押さえリング３３０の取り付け位置を規制している。ここで、図１４、図１５に示すように、符号３０８ｃは受け板部３０８の裏側に設けられた斜面であり、また、符号３０８ｄはストッパーである。
【００６２】
図１４の紙面手前側より押さえリング３３０の３箇所の爪３３５をバヨネット溝３０８ａ、３０８ｂ、３０８ｂに嵌入後、押さえリング３３０を時計方向に回転させる。押さえリングの各爪が、図１５に示すように斜面３０８ｃを登ることでフロントパネル２００が押し付けられ、ストッパー３０８ｄまで回転させることにより固定される。なお、この図１５では、鏡胴１４０とカメラ本体１００との固定の詳細は省略されている。
【００６３】
以上の構成によれば、実施の形態３と同様にフロントパネルの中央付近を確実に抑えて固定することができる。また、この固定がバヨネット方式で有るので、挿嵌が簡易であり、長期間の使用によっても押さえリング３３０が緩むことがない。
【００６４】
【発明の実施の形態４】
次に、本発明の参考例に係る実施の形態４を図１６〜図１７に基づき説明する。実施の形態１〜３と同一乃至は均等な部位部材は同一番号を付して詳細な説明は省略する。
【００６５】
この実施の形態４では、押さえ手段としてカメラ１を支えるためのグリップを兼用している場合を説明する。
【００６６】
図１６，図１７に示すように、この実施の形態４のカメラ１では、カメラ１を前面１１０及び背面１１２から挟持して固定された一対のグリップ部３５０を両側にそれぞれ設けている。
【００６７】
このグリップ部３５０は、エラストマーなどの弾性体から形成され、平面視が略コの字型（図１７）であり、その両末端にはそれぞれボス部３５１，３５２が設けられている。
【００６８】
一方、フロントパネル２００にはボス部３５１に嵌合する位置決め孔２０１が設けられ、また、カメラ本体の背面１１２にはボス部３５２に嵌合する位置決め凹部１０３が設けられている。ここで、図１７においては、グリップ部３５０とカメラ本体１００との固定の状況が部分断面図により説明されている。この図１７の部分拡大図において、カメラ本体１００は便宜上、想像線（２点鎖線）で示されている。
【００６９】
このようなカメラ１では、リブ突起１２０で形成される凹所１３０（不図示）にフロントパネル２００を嵌合させた状態でグリップ部３５０を装着させる。この場合、グリップ部３５０の弾性を利用してボス部３５１を位置決め孔２０１に嵌合させ、ボス部３５２を位置決め凹部１０３に嵌合させる。カメラ１の側面、前面１１０及び背面１１２を自身の撓みに依る圧接力で挟持することができる。
【００７０】
これにより、フロントパネル２００の固定をグリップ部３５０と兼用することができる。
【００７１】
このグリップ部３５０は自身の撓みに依る圧接力を固定力に利用しているので、ネジ止めや接着作業が不要で繰り返しの着脱にも適するという利点がある。また、このようなグリップ部３５０の材質にエラストマーを用いることで、滑りにくい、感触が良いなどの良好なグリップ性を確保しながら、適度な可撓性を固定力に利用して、省部品、ローコストを実現できる。
【００７２】
また、フロントパネル２００は凹所１３０に収納されて位置決めされているので、グリップ部３５０を弾性に抗して装着させる際に、フロントパネル２００に接触しても、摩擦によりフロントパネル２００の位置決めがずれることがない。
【００７３】
【発明の実施の形態５】
次に、本発明に係る実施の形態５を図１８〜図２１に基づき説明する。実施の形態１〜４と同一乃至は均等な部位部材は同一番号を付して詳細な説明は省略する。
【００７４】
この発明の実施の形態５では、表裏を変えてリバーシブルとして利用可能なフロントパネル２００及びそれに用いるカメラ本体１００を説明している。
【００７５】
第１の実施例に係るフロントパネル２００では、図１８に示すように、左右方向中央部に鏡胴用開口２４０がくり抜かれた左右対称な構成である。表面及び裏面には、それぞれ色又は模様が異なってそれぞれの表面が外装として利用可能である。
【００７６】
このようなフロントパネル２００は、図１９に示すようなカメラ本体１００に表裏を変えて装着可能である。このカメラ本体１００では、フロントパネル２００の形状に則した凹所１３０が前面１１０に形成されている。この場合の周縁は凹所１３０の上縁は外装が施されたランド部１２２である。このランド部１２２の色、模様はフロントパネル２００の色、模様等と同一であっても異なってもよい。なお、このランド部１２２の高さはリブ突起１２０と同等であるが、異なってもよい。
【００７７】
また、図２０に示す第２実施例のフロントパネル２００では、左右方向中央部にくり抜かれた鏡胴用開口２４０及びファインダー窓用開口２５０に加えて左右対称な位置及び大きさにくり抜かれたストロボ用開口２６０、２７０を備えている。このフロントパネル２００も同様に表面及び裏面には、それぞれ色又は模様が異なってそれぞれの表面が外装として利用可能である。
【００７８】
このようなフロントパネル２００は、図２１に示すようなカメラ本体１００に表裏を変えて装着可能である。このカメラ本体１では、図１に示すカメラ本体１００に加えて、ストロボ窓１６０に左右方向の対称位置にストロボ窓１６０と外形が同等の化粧凸部１７０が形成されている。この化粧凸部１７０の表面には、例えば、図２２に示すように、カメラの特徴やロゴマークなどの化粧が施されている。これにより、フロントパネル２００の表裏を変えてカメラ本体１００に装着された場合、例えば、ストロボ窓１６０にストロボ窓用開口２６０が嵌合された状態では化粧凸部１７０にはストロボ窓用開口２７０が嵌合されるが、表裏を変えた場合には、ストロボ窓１６０にストロボ窓用開口２７０が嵌合され、化粧凸部１７０にはストロボ窓用開口２６０が嵌合される。
【００７９】
これにより、表裏を変えて使用しても、違和感がない。
【００８０】
以上、この発明の実施の形態を図面により詳述してきたが、具体的な構成はこの実施の形態に限らず、この発明の要旨を逸脱しない範囲の設計の変更等があってもこの発明に含まれる。
【００８１】
例えば、各実施の形態で用いた固定手段は他の実施の形態で用いた他の固定手段と併用して固定してもよい。
【００８２】
また、以上の実施の形態では、デジタルカメラを例示して説明したが銀塩カメラ、ビデオカメラなどの他のカメラに用いることもできる。
【００８３】
【発明の効果】
以上説明したように、本発明に従えば、カメラ本体の前面に装着・交換可能に固定される外装パネルを備えたカメラ及びそれに用いる外装パネルを提供することができる。
【００８４】
また、本発明に従えば、位置決め及び固定が確実である外装パネルを備えたカメラ及びそれに用いる外装パネルを提供することができる。
【図面の簡単な説明】
【図１】本発明の実施の形態１に係るカメラの組立状況を正面図により説明する図である。
【図２】図１のＡ−Ａ線で切断した場合の断面図である。
【図３】図１のフロントパネルを装着したカメラの側面図である。
【図４】変形例に係るフロントパネルを装着したカメラの正面図である。
【図５】図４の欠落部１２１付近を底面から見た一例の部分底面図である。
【図６】図４の欠落部１２１付近を底面から見た他の例の部分底面図である。
【図７】本発明の実施の形態２に係るフロントパネルの正面図である。
【図８】本発明の実施の形態２に係るカメラの鏡胴付近を断面により説明する図であり、図９のＢ−Ｂ線で切断した場合の断面図である。
【図９】本発明の実施の形態２に係るフロントパネルを装着したカメラの正面図である。
【図１０】図９のＣ−Ｃ線で切断した場合の断面図である。
【図１１】図８の変形例に係る断面図である。
【図１２】図８の変形例に係る断面図である。
【図１３】本発明の実施の形態３に係るカメラの組立状況を鏡胴付近の断面図により説明する図である。
【図１４】図１３においてバヨネット方式の固定を説明する図であり、カメラ本体１００の鏡胴１４０周縁設けられた受け板部３０８の部分平面図である。
【図１５】図１３のバヨネット方式の固定状況を断面により説明する部分断面図である。
【図１６】本発明の実施の形態４に係るフロントパネルを装着したカメラの正面図である。
【図１７】図１６のカメラの側面図であり、グリップ部３５０とカメラ本体１００との固定の状況を部分断面図により説明している。
【図１８】本発明の実施の形態５に係るフロントパネル２００の正面図である。
【図１９】図１８に用いたフロントパネルを装着するカメラ本体１００の正面図である。
【図２０】本発明の実施の形態５に係るフロントパネル２００の正面図である。
【図２１】図２０に用いたフロントパネルを装着するカメラ本体１００の正面図である。
【図２２】図２１の化粧突起１７０付近を説明する部分斜視図である。
【符号の説明】
１００：カメラ本体
１０２：環状溝
１０３：位置決め凹部
１１０：前面
１２０：リブ突起
１２１：欠落部
１３０：凹所
１３１：下穴
１３２：金属部品
１４０：鏡胴
１４１：鏡筒
１４２：外周面（雄ネジ部：螺合手段）
１５０：ファインダー窓
１６０：ストロボ窓
１７０：化粧凸部
２００：フロントパネル（外装パネル）
２０１：位置決め孔
２１０：前面
２２０：外周面（コバ面）
２４０：鏡胴用開口
２５０：ファインダー窓用開口
２６０：ストロボ窓用開口
２７０：ストロボ窓用開口
３００：粘着材
３０８：受け板
３０８ａ、３０８ｂ、３０８ｂ：バヨネット溝
３０８ｃ：斜面
８ｄ：ストッパー
３１０：皿ネジ用貫通孔
３２０：皿ネジ（螺合手段）
３２１：平小ネジ（螺合手段）
３３０：押さえリング
３３１：フランジ部（押さえ手段）
３３２：内周面（雌ネジ部：螺合手段）
３３３：外周面
３３５：爪
３５０：グリップ部（押さえ手段）
３５１：ボス部
３５２：ボス部
【図１】
0004132900.tif 000002
【図２】
0004132900.tif 000003
【図３】
0004132900.tif 000004
【図４】
0004132900.tif 000005
【図５】
0004132900.tif 000006
【図６】
0004132900.tif 000007
【図７】
0004132900.tif 000008
【図８】
0004132900.tif 000009
【図９】
0004132900.tif 000010
【図１０】
0004132900.tif 000011
【図１１】
0004132900.tif 000012
【図１２】
0004132900.tif 000013
【図１３】
0004132900.tif 000014
【図１４】
0004132900.tif 000015
【図１５】
0004132900.tif 000016
【図１６】
0004132900.tif 000017
【図１７】
0004132900.tif 000018
【図１８】
0004132900.tif 000019
【図１９】
0004132900.tif 000020
【図２０】
0004132900.tif 000021
【図２１】
0004132900.tif 000022
【図２２】
0004132900.tif 000023